(57)【要約】  呼び登録システムは、例えばゲート（３）、セキュリティ管理装置（４）、サーバ（６）、及び記憶装置（５）を備える。セキュリティ管理装置（４）は、例えば保持部（４２）、判定部（４１）、及び要求部（４３）を備える。要求部（４３）は、選択された許可階の情報が保持部（４２）に保持されていないと判定部（４１）が判定すると、通常利用階に対する呼び登録を群管理装置（１）に要求する。要求部（４３）は、選択された許可階の情報が保持部（４２）に保持されていると判定部（４１）が判定すると、選択された許可階に対する呼び登録を群管理装置（１）に要求する。
2019207715.tif 000002
【特許請求の範囲】
【請求項１】
第１読取装置を有する照合装置と、
照合装置を制御するセキュリティ管理装置と、
前記セキュリティ管理装置と通信するサーバと、
特定の識別情報に対して、通常利用階の情報、複数の許可階の情報、及び認証情報を紐付けて記憶する記憶装置と、
を備え、
前記サーバは、入力画面を携帯端末に表示させる第１表示制御手段を備え、
前記セキュリティ管理装置は、前記入力画面から入力された情報が前記認証情報に一致すると、前記サーバを介して前記識別情報に対する権限情報を前記携帯端末に付与する付与手段を備え、
前記第１表示制御手段は、前記権限情報が付与された前記携帯端末に、前記複数の許可階の中から１つを選択するための選択画面を表示させ、
前記セキュリティ管理装置は、
前記選択画面から選択された許可階の情報を保持する保持手段と、
前記第１読取装置が読み取った情報が前記識別情報に一致すると、前記選択された許可階の情報が前記保持手段に保持されているか否かを判定する第１判定手段と、
前記選択された許可階の情報が前記保持手段に保持されていないと前記第１判定手段が判定すると前記通常利用階に対する呼び登録をエレベーターの群管理装置に要求し、前記選択された許可階の情報が前記保持手段に保持されていると前記第１判定手段が判定すると前記選択された許可階に対する呼び登録を前記群管理装置に要求する第１要求手段と、
を更に備えた呼び登録システム。
【請求項２】
前記照合装置は、表示装置を更に備え、
前記セキュリティ管理装置は、前記第１要求手段が要求した呼び登録に対して前記群管理装置が割当かごを決定すると、その割当かごの情報を前記表示装置に表示させる第２表示制御手段を更に備えた請求項１に記載の呼び登録システム。
【請求項３】
前記第１表示制御手段は、前記権限情報が付与された前記携帯端末に、前記割当かごの状態確認を要求するための確認要求画面を表示させ、
前記サーバは、
前記確認要求画面から状態確認の要求が行われると、前記割当かごを特定する第１特定手段と、
前記確認要求画面から状態確認の要求が行われると、前記割当かごの状態を特定する第２特定手段と、
を備え、
前記第１表示制御手段は、前記確認要求画面から状態確認の要求が行われた前記携帯端末に、前記第１特定手段が特定した前記割当かごの情報と前記第２特定手段が特定した前記割当かごの状態を表す情報とを表示させる請求項２に記載の呼び登録システム。
【請求項４】
前記セキュリティ管理装置は、前記識別情報を付与された個人が特定の制限エリアにいるか否かを判定する第２判定手段を更に備え、
前記第１表示制御手段は、前記個人が前記制限エリアにいると前記第２判定手段によって判定された場合に、前記権限情報が付与された前記携帯端末に、前記複数の許可階の１つから他の１つに移動する経路を指定するための経路指定画面を表示させ、
前記サーバは、前記経路指定画面から指定された経路に対する呼び登録を前記群管理装置に要求する第２要求手段を更に備えた請求項１から請求項３の何れか一項に記載の呼び登録システム。
【請求項５】
前記第１表示制御手段は、前記個人が前記制限エリアにいると前記第２判定手段によって判定された場合に、前記権限情報が付与された前記携帯端末に、タイマー設定画面を表示させ、
前記第２要求手段は、前記タイマー設定画面から設定された時間が経過した後に、前記経路指定画面から指定された経路に対する呼び登録を前記群管理装置に要求する請求項４に記載の呼び登録システム。
【請求項６】
第２読取装置を有し、ドアを解錠及び施錠する電子錠制御装置を更に備え、
前記第１判定手段は、前記第２読取装置が読み取った情報が前記識別情報に一致すると、前記選択された許可階の情報が前記保持手段に保持されているか否かを判定し、
前記第１要求手段は、前記第２読取装置が読み取った情報が前記識別情報に一致し且つ前記選択された許可階の情報が前記保持手段に保持されていると前記第１判定手段が判定すると、前記選択された許可階に対する呼び登録を前記群管理装置に要求する請求項１から請求項５の何れか一項に記載の呼び登録システム。
【発明の詳細な説明】
【技術分野】
【０００１】
この発明は、呼び登録システムに関する。
【背景技術】
【０００２】
特許文献１に、エレベーターの群管理システムが記載されている。特許文献１に記載されたシステムでは、利用者は、携帯端末を操作することによって呼びを登録することができる。
【先行技術文献】
【特許文献】
【０００３】
【特許文献１】日本特開２０１４−１１８２６３号公報
【発明の概要】
【発明が解決しようとする課題】
【０００４】
特許文献１に記載されたシステムでは、携帯端末に専用のアプリケーションをインストールすることにより、誰でも呼びを登録することができる。【０００５】
ビルには、予め定められた人しか立ち入ることが許されていないエリアが設定されている場合がある。このようなセキュリティ管理が行われているビルに特許文献１に記載されたシステムが適用されると、上記エリアの外からでも携帯端末を用いて呼びを登録でき、その呼びにかごが割り当てられてしまう。一方、上記エリア内だけで携帯端末の使用を認めると、利便性が低下するといった問題があった。【０００６】
この発明は、上述のような課題を解決するためになされた。この発明の目的は、セキュリティ管理が行われているビル等において、利便性を損なうことなく呼びを登録することができる呼び登録システムを提供することである。
【課題を解決するための手段】
【０００７】
この発明に係る呼び登録システムは、第１読取装置を有する照合装置と、照合装置を制御するセキュリティ管理装置と、セキュリティ管理装置と通信するサーバと、特定の識別情報に対して、通常利用階の情報、複数の許可階の情報、及び認証情報を紐付けて記憶する記憶装置と、を備える。サーバは、入力画面を携帯端末に表示させる第１表示制御手段を備える。セキュリティ管理装置は、入力画面から入力された情報が認証情報に一致すると、サーバを介して識別情報に対する権限情報を携帯端末に付与する付与手段を備える。第１表示制御手段は、権限情報が付与された携帯端末に、複数の許可階の中から１つを選択するための選択画面を表示させる。セキュリティ管理装置は、選択画面から選択された許可階の情報を保持する保持手段と、第１読取装置が読み取った情報が識別情報に一致すると、選択された許可階の情報が保持手段に保持されているか否かを判定する第１判定手段と、選択された許可階の情報が保持手段に保持されていないと第１判定手段が判定すると通常利用階に対する呼び登録をエレベーターの群管理装置に要求し、選択された許可階の情報が保持手段に保持されていると第１判定手段が判定すると選択された許可階に対する呼び登録を群管理装置に要求する第１要求手段と、を更に備える。
【発明の効果】
【０００８】
この発明に係る呼び登録システムは、照合装置、セキュリティ管理装置、サーバ、及び記憶装置を備える。セキュリティ管理装置は、第１要求手段を備える。第１要求手段は、選択された許可階の情報が保持手段に保持されていないと第１判定手段が判定すると通常利用階に対する呼び登録をエレベーターの群管理装置に要求する。第１要求手段は、選択された許可階の情報が保持手段に保持されていると第１判定手段が判定すると選択された許可階に対する呼び登録を群管理装置に要求する。この発明に係る呼び登録システムであれば、セキュリティ管理が行われているビル等において、利便性を損なうことなく呼びを登録することができる。
【図面の簡単な説明】
【０００９】
【図１】実施の形態１における呼び登録システムの例を示す図である。
【図２】群管理装置の例を示す図である。
【図３】セキュリティ管理装置の例を示す図である。
【図４】サーバの例を示す図である。
【図５】セキュリティ管理装置の動作例を示すフローチャートである。
【図６】通行許可者の出社時の行動の例を説明するための図である。
【図７】群管理装置の動作例を示すフローチャートである。
【図８】サーバの動作例を示すフローチャートである。
【図９】通行許可者の出社時の行動の他の例を説明するための図である。
【図１０】表示装置に入力画面が表示された携帯端末の例を示す図である。
【図１１】セキュリティ管理装置の他の動作例を示すフローチャートである。
【図１２】表示装置にメニュー画面が表示された携帯端末の例を示す図である。
【図１３】サーバの他の動作例を示すフローチャートである。
【図１４】セキュリティ管理装置の他の動作例を示すフローチャートである。
【図１５】表示装置に選択画面が表示された携帯端末の例を示す図である。
【図１６】通行許可者の出社時の行動の他の例を説明するための図である。
【図１７】サーバの他の動作例を示すフローチャートである。
【図１８】表示装置に状態確認画面が表示された携帯端末の例を示す図である。
【図１９】メニュー画面の他の例を示す図である。
【図２０】サーバの他の動作例を示すフローチャートである。
【図２１】通行許可者の出社後の行動の例を説明するための図である。
【図２２】セキュリティ管理装置の他の動作例を示すフローチャートである。
【図２３】表示装置に経路指定画面が表示された携帯端末の例を示す図である。
【図２４】通行許可者の出社後の行動の他の例を説明するための図である。
【図２５】表示装置にタイマー設定画面が表示された携帯端末の例を示す図である。
【図２６】呼び登録システムの他の例を示す図である。
【図２７】通行許可者の出社後の行動の他の例を説明するための図である。
【図２８】セキュリティ管理装置の他の動作例を示すフローチャートである。
【図２９】セキュリティ管理装置のハードウェア資源の例を示す図である。
【図３０】セキュリティ管理装置のハードウェア資源の他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１における呼び登録システムの例を示す図である。呼び登録システムは、例えば群管理装置１、ゲート３、セキュリティ管理装置４、記憶装置５、サーバ６、及び変換装置７を備える。
【００１２】
群管理装置１は、例えば、あるビルに備えられた複数台のエレベーターを一群として管理する。本実施の形態では、一例として、群管理装置１が４台のエレベーターを管理する例を示す。例えば、群管理装置１は、エレベーターＡからエレベーターＤを管理する。各エレベーターは、かご２０及び制御装置２１を備える。かご２０は、昇降路２２を上下に移動する。制御装置２１は、群管理装置１からの割当情報に基づいてかご２０の動作を制御する。
【００１３】
エレベーターＡからエレベーターＤが備えられたビルには、予め定められた人しか立ち入ることが許されていないエリアが設定されている。以下の説明では、上記エリアのことを制限エリアとも表記する。エレベーターＡからエレベーターＤは、制限エリアに設置される。例えば、上記ビルにショッピングエリアとオフィスエリアとがある場合、オフィスエリアが制限エリアに設定される。基本的に、関係者以外の人がオフィスエリアに出入りすることは認められていない。エレベーターＡからエレベーターＤは、例えばオフィスエリアにオフィスを構える会社の関係者によって利用される。
【００１４】
ゲート３は、照合装置の一例である。ゲート３は、制限エリアに入る人が必ず通過しなければならない場所に設置される。以下の説明では、制限エリアに入ることが許されている人のことを通行許可者とも表記する。通行許可者は、ゲート３を通過しなければ、制限エリアに入ることはできない。更に、通行許可者が制限エリアから出る時に必ず通過しなければならない場所に、ゲート３が設置されても良い。
【００１５】
ゲート３は、例えばビルのロビー階に設置される。ロビー階は、例えば１階である。ビルの１階には、かご２０に乗るための乗場が設けられる。例えば、ゲート３は、この乗場に通じる通路に設けられる。
【００１６】
ゲート３は、例えば読取装置３０及び表示装置３１を備える。読取装置３０は、社員証等の記憶媒体から識別情報を読み取る。以下においては、読取装置３０がカード３２から識別情報を読み取る例について説明する。例えば、カード３２は、通行許可者によって所有される。カード３２に、固有の識別情報が記憶される。カード３２が社員証であれば、識別情報は、そのカード３２の所有者の社員番号でも良い。制限エリアに複数の会社のオフィスがある場合、識別情報は、会社を表す番号と社員番号との組み合わせでも良い。読取装置３０からの電波が届く位置にカード３２が配置されると、カード３２に記憶された識別情報が読取装置３０によって読み取られる。表示装置３１は、ゲート３を通過する人或いは通過しようとする人に情報を提供する。
【００１７】
セキュリティ管理装置４は、ゲート３を制御する。例えば、セキュリティ管理装置４は、記憶装置５に記憶された情報に基づいて複数のゲート３を制御する。記憶装置５の機能は、セキュリティ管理装置４に備えられても良い。表１は、記憶装置５が記憶する情報の例を示す。
【００１８】
【表１】
2019207715.tif 000003
【００１９】
表１は、通行許可者ごとに、識別情報、通常利用階の情報、許可階の情報、及び照合情報が記憶装置５に記憶される例を示す。表１に示す例では、照合情報にユーザＩＤとパスワードとが含まれる。許可階には、例えばゲート３の設置階と通常利用階とが含まれる。
【００２０】
例えば、識別情報「１１００１」は、通行許可者Ｐ１が所有するカード３２に記憶されている。表１に示す例では、記憶装置５に、識別情報「１１００１」に紐付けて通常利用階「８階」の情報が記憶される。通常利用階は、通行許可者が行先階としていつも利用する階である。表１は、通行許可者Ｐ１のオフィスが８階にあり、出社した際に他の用がなければ通行許可者Ｐ１が８階に行く例を示している。
【００２１】
また、記憶装置５に、識別情報「１１００１」に紐付けて許可階「１階、２階、３階、７階、８階、及び９階」の情報が記憶される。許可階は、通行許可者が行くことを許されている階である。即ち、通行許可者Ｐ１は、１階、２階、３階、７階、８階、及び９階に行くことが予め許可されている。
【００２２】
また、記憶装置５に、識別情報「１１００１」に紐付けてユーザＩＤ「ａｂｃｄｅ」及びパスワード「１２３４５」が記憶される。照合情報は、通行許可者が携帯端末９を利用するために予め登録した情報である。このように、記憶装置５には、各識別情報に対して、識別情報、通常利用階の情報、複数の許可階の情報、及び照合情報が紐付けて記憶される。
【００２３】
サーバ６は、例えば、ビル内のネットワーク８に接続される。サーバ６は、ネットワーク８を介してセキュリティ管理装置４と通信する。また、群管理装置１は、変換装置７を介してネットワーク８に接続される。サーバ６は、変換装置７を介して群管理装置１と通信可能である。セキュリティ管理装置４は、変換装置７を介して群管理装置１と通信可能である。
【００２４】
サーバ６は、携帯端末９と通信する。携帯端末９は、通行許可者が所有する端末である。携帯端末９は、例えばスマートフォンである。通行許可者は、例えばインターネット回線を介して、携帯端末９からサーバ６にアクセスできる。携帯端末９は、例えば表示装置９０及び入力装置９１を備える。表示装置９０と入力装置９１とは、例えばタッチパネルによって実現される。
【００２５】
図２は、群管理装置１の例を示す図である。群管理装置１は、例えば割当部１０、運行管理部１１、及び情報提供部１２を備える。
【００２６】
図３は、セキュリティ管理装置４の例を示す図である。セキュリティ管理装置４は、例えば判定部４０、判定部４１、保持部４２、要求部４３、表示制御部４４、動作制御部４５、判定部４６、付与部４７、リスト取得部４８、及び判定部４９を備える。表示制御部４４は、ゲート３の表示装置３１を制御する。動作制御部４５は、例えばゲート３のバーの動きを制御する。
【００２７】
図４は、サーバ６の例を示す図である。サーバ６は、例えば判定部６０、表示制御部６１、通信制御部６２、特定部６３、特定部６４、及び要求部６５を備える。
【００２８】
以下に、図５から図１５も参照し、本呼び登録システムの機能について説明する。以下においては、通行許可者Ｐ１が本システムを利用する例について詳しく述べる。また、記憶装置５には、表１に示す情報が記憶されているものとする。
【００２９】
先ず、通行許可者Ｐ１が出社時に自分のオフィスに行く例について説明する。上述したように、通行許可者Ｐ１のオフィスはビルの８階にある。通行許可者Ｐ１は、識別情報「１１００１」が記憶されたカード３２を所有する。以下の説明では、必要に応じて、通行許可者Ｐ１が所有するカードをカード３２ａと表記し、他のカード３２と区別する。
【００３０】
図５は、セキュリティ管理装置４の動作例を示すフローチャートである。図６は、通行許可者Ｐ１の出社時の行動の例を説明するための図である。セキュリティ管理装置４では、ゲート３から識別情報を受信したか否かが判定される（Ｓ１０１）。
【００３１】
例えば、通行許可者Ｐ１は、出社時にゲート３の読取装置３０にカード３２ａをかざす。これにより、読取装置３０は、カード３２ａから識別情報「１１００１」を読み取る。読取装置３０が読み取った情報は、セキュリティ管理装置４に送信される。読取装置３０が読み取った情報をセキュリティ管理装置４がゲート３から受信すると、Ｓ１０１でＹｅｓと判定される。
【００３２】
判定部４０は、読取装置３０が読み取った情報が記憶装置５に記憶されている識別情報の何れかと一致するか否かを判定する（Ｓ１０２）。カード３２を読取装置３０にかざした人が通行許可者でない場合、Ｓ１０２でＮｏと判定される。Ｓ１０２でＮｏと判定されると、ゲート３の通行は許可されない（Ｓ１１０）。例えば、動作制御部４５は、ゲート３のバーを開かない。表示制御部４４は、表示装置３１に、通行が許可されていない旨を表示させる。
【００３３】
カード３２ａに記憶された識別情報「１１００１」は、記憶装置５に記憶されている。このため、通行許可者Ｐ１がカード３２ａを読取装置３０にかざした場合は、Ｓ１０２でＹｅｓと判定される。Ｓ１０２でＹｅｓと判定されると、ゲート３の通行が許可される（Ｓ１０３）。例えば、動作制御部４５は、ゲート３のバーを開く。
【００３４】
また、読取装置３０が読み取った情報が記憶装置５に記憶されている識別情報と一致すると判定部４０が判定すると、判定部４１は、当該通行許可者の行先階を決定する。例えば、判定部４１は、記憶装置５に記憶されている通常利用階及び許可階の中の１つの階を行先階として選択する。識別情報「１１００１」に対する行先階を決定する場合、判定部４１は、１階、２階、３階、７階、８階、及び９階の中の１つの階を行先階として選択する。
【００３５】
具体的に、判定部４１は、行先変更要求が保持部４２に保持されているか否かを判定する（Ｓ１０４）。例えば、通行許可者Ｐ１は、カード３２ａを読取装置３０にかざす前に携帯端末９に対して特定の操作を行うことにより、保持部４２に行先変更要求を保持させることができる。通行許可者Ｐ１が携帯端末９に対して特定の操作を行っていなければ、Ｓ１０４でＮｏと判定される。判定部４１は、Ｓ１０４でＮｏと判定すると、記憶装置５に記憶された通常利用階を行先階に決定する（Ｓ１０５）。例えば、判定部４１は、Ｓ１０５において、識別情報「１１００１」に対する行先階を８階と決定する。
【００３６】
要求部４３は、判定部４１が決定した行先階に対する呼び登録を群管理装置１に要求する（Ｓ１０７）。要求部４３は、Ｓ１０４で判定部４１がＮｏと判定すると、通常利用階に対する呼び登録を群管理装置１に要求する。この要求には、例えば、識別情報「１１００１」と乗車階「１階」の情報と行先階「８階」の情報とが含まれる。乗車階は、例えばゲート３が設置されている階である。
【００３７】
図７は、群管理装置１の動作例を示すフローチャートである。群管理装置１では、呼び登録の要求を受信したか否かが判定される（Ｓ２０１）。要求部４３がＳ１０７で送信した要求を群管理装置１が受信すると、Ｓ２０１でＹｅｓと判定される。Ｓ２０１でＹｅｓと判定されると、割当部１０は、当該要求に対して割り当てるかご２０を決定する（Ｓ２０２）。本実施の形態に示す例では、割当部１０は、演算した評価値等に基づいて、エレベーターＡのかご２０、エレベーターＢのかご２０、エレベーターＣのかご２０、及びエレベーターＤのかご２０の中から割当かごを決定する。
【００３８】
以下の説明では、表記を簡潔にするため、エレベーターＡのかご２０及び制御装置２１をかご２０Ａ及び制御装置２１Ａとも表記する。同様に、エレベーターＢのかご２０及び制御装置２１をかご２０Ｂ及び制御装置２１Ｂとも表記する。エレベーターＣのかご２０及び制御装置２１をかご２０Ｃ及び制御装置２１Ｃとも表記する。エレベーターＤのかご２０及び制御装置２１をかご２０Ｄ及び制御装置２１Ｄとも表記する。
【００３９】
運行管理部１１は、割当部１０が呼び登録要求に対する割当かごを決定すると、その割当かごを制御する制御装置２１に対して割当情報を送信する（Ｓ２０３）。例えば、割当部１０がかご２０Ｂを割当かごに決定すると、運行管理部１１は、乗車階が１階で行先階が８階である割当情報を制御装置２１Ｂに送信する。制御装置２１Ｂは、当該割当情報を受信すると、乗車階が１階で行先階が８階である呼びを登録する。制御装置２１Ｂは、登録した呼びにかご２０Ｂを応答させる。
【００４０】
また、情報提供部１２は、割当部１０が呼び登録要求に対する割当かごを決定すると、呼び登録の要求元に割当かごの情報を送信する（Ｓ２０４）。例えば、情報提供部１２は、識別情報「１１００１」に対する割当かごがかご２０Ｂである旨の情報をセキュリティ管理装置４に送信する。
【００４１】
セキュリティ管理装置４では、要求部４３がＳ１０７で呼び登録の要求を行うと、その応答として割当かごの情報を群管理装置１から受信したか否かが判定される（Ｓ１０８）。情報提供部１２がＳ２０４で送信した割当かごの情報をセキュリティ管理装置４が受信すると、Ｓ１０８でＹｅｓと判定される。Ｓ１０８でＹｅｓと判定されると、表示制御部４４は、受信した割当かごの情報を表示装置３１に表示させる（Ｓ１０９）。通行許可者Ｐ１は、ゲート３を通過する際に表示装置３１を見ることにより、自分が乗るべきかご２０を知ることができる。例えば、表示装置３１に、エレベーターＢを示す「Ｂ」が表示される。通行許可者Ｐ１は、ゲート３を通過した後に乗場に移動し、上方に「Ｂ」が表示されたドアからかご２０Ｂに乗る。
【００４２】
次に、通行許可者Ｐ１が出社時に通常利用階ではない階に立ち寄る例について説明する。図８は、サーバ６の動作例を示すフローチャートである。図９は、通行許可者Ｐ１の出社時の行動の他の例を説明するための図である。サーバ６では、携帯端末９が接続されたか否かが判定される（Ｓ３０１）。携帯端末９は、例えばインターネット回線を介してサーバ６に接続可能である。例えば、通行許可者Ｐ１は、制限エリアに入る前に携帯端末９を操作し、携帯端末９をサーバ６に接続させる。
【００４３】
携帯端末９がサーバ６に接続されると（Ｓ３０１のＹｅｓ）、判定部６０は、その携帯端末９が認証済みであるか否かを判定する（Ｓ３０２）。例えば、サーバ６に接続した携帯端末９のブラウザのキャッシュに、セキュリティ管理装置４が発行するトークンが保存されていなければ、Ｓ３０２でＮｏと判定される。なお、当該トークンについては後述する。Ｓ３０２でＮｏと判定されると、表示制御部６１は、ユーザＩＤ及びパスワードを入力させるための入力画面を携帯端末９の表示装置９０に表示させる（Ｓ３０３）。
【００４４】
図１０は、表示装置９０に入力画面が表示された携帯端末９の例を示す図である。例えば、通行許可者Ｐ１は、入力装置９１を用いてユーザＩＤとパスワードとを入力画面から入力する。図１０に示す例では、入力画面に表示されたＯＫボタンを押すことにより、入力情報、即ち入力したユーザＩＤとパスワードとが携帯端末９からサーバ６に送信される。
【００４５】
サーバ６では、表示制御部６１が携帯端末９に入力画面を表示させると、その携帯端末９から入力情報を受信したか否かが判定される（Ｓ３０４）。入力画面から入力された情報をサーバ６が携帯端末９から受信すると、Ｓ３０４でＹｅｓと判定される。通信制御部６２は、Ｓ３０４でＹｅｓと判定されると、受信した入力情報をセキュリティ管理装置４に送信する（Ｓ３０５）。
【００４６】
図１１は、セキュリティ管理装置４の他の動作例を示すフローチャートである。セキュリティ管理装置４では、入力画面から入力された情報をサーバ６から受信したか否かが判定される（Ｓ４０１）。通信制御部６２がＳ３０５で送信した入力情報をセキュリティ管理装置４が受信すると、Ｓ４０１でＹｅｓと判定される。Ｓ４０１でＹｅｓと判定されると、判定部４６は、入力画面から入力された情報が記憶装置５に記憶されている照合情報の何れかと一致するか否かを判定する（Ｓ４０２）。判定部４６は、入力画面から入力された情報が記憶装置５に記憶されている照合情報の何れとも一致しなければ（Ｓ４０２のＮｏ）、照合が失敗したことを示す失敗情報をサーバ６に送信する（Ｓ４０３）。
【００４７】
一方、入力画面から入力された情報が記憶装置５に記憶されている照合情報の何れかと一致すると（Ｓ４０２のＹｅｓ）、付与部４７は、当該識別情報に対する権限情報を、サーバ６を介して携帯端末９に付与する。例えば、通行許可者Ｐ１は、入力画面からユーザＩＤ「ａｂｃｄｅ」とパスワード「１２３４５」とを入力し、ＯＫボタンを押す。これにより、Ｓ４０２において、入力画面から入力された情報が識別情報「１１００１」の照合情報と一致すると判定部４６によって判定される。かかる場合、付与部４７は、識別情報「１１００１」に対する権限情報を、サーバ６を介して携帯端末９に付与する。本説明では、この権限情報をトークンともいう。上記例であれば、トークンには、識別情報「１１００１」について特定の携帯端末９からのログインが成功したことを示す情報が含まれる。Ｓ４０２でＹｅｓと判定されると、付与部４７は、トークンを発行し、サーバ６に送信する（Ｓ４０４）。
【００４８】
サーバ６では、通信制御部６２がＳ３０５でセキュリティ管理装置４に入力情報を送信すると、照合が成功したか否かが判定される（Ｓ３０６）。判定部４６がＳ４０３で送信した失敗情報をサーバ６が受信すると、Ｓ３０６でＮｏと判定される。Ｓ３０６でＮｏと判定されると、表示制御部６１は、例えばエラー画面を携帯端末９の表示装置９０に表示させる（Ｓ３０７）。
【００４９】
一方、付与部４７がＳ４０４で発行したトークンをサーバ６が受信すると、Ｓ３０６でＹｅｓと判定される。Ｓ３０６でＹｅｓと判定されると、通信制御部６２は、Ｓ３０４で入力情報を送信してきた携帯端末９に、受信したトークンを送信する（Ｓ３０８）。これにより、通行許可者Ｐ１の携帯端末９に、付与部４７がＳ４０４で発行したトークンが保存される。例えば、携帯端末９のブラウザのキャッシュにトークンが保存される。以下の説明では、通行許可者Ｐ１が所有する携帯端末であって、ブラウザのキャッシュにトークンが保存された状態のものを携帯端末９ａとも表記する。
【００５０】
携帯端末９ａがサーバ６に接続されると（Ｓ３０１のＹｅｓ）、Ｓ３０２でＹｅｓと判定される。Ｓ３０２でＹｅｓと判定されると、表示制御部６１は、例えばメニュー画面を携帯端末９ａの表示装置９０に表示させる（Ｓ３０９）。
【００５１】
図１２は、表示装置９０にメニュー画面が表示された携帯端末９の例を示す図である。図１２に示す例では、行先変更ボタン９１ａ、及び状態確認ボタン９１ｂが表示装置９０に表示される。行先変更ボタン９１ａ、及び状態確認ボタン９１ｂは、入力装置９１の例である。
【００５２】
図１３は、サーバ６の他の動作例を示すフローチャートである。図１３は、表示制御部６１がＳ３０９で携帯端末９にメニュー画面を表示させた後の動作を示す。サーバ６では、表示制御部６１が携帯端末９にメニュー画面を表示させると、その携帯端末９から許可階リスト取得要求を受信したか否かが判定される（Ｓ５０１）。
【００５３】
例えば、通行許可者Ｐ１は、制限エリアに入る前に、携帯端末９ａのメニュー画面に表示された行先変更ボタン９１ａを押す。これにより、携帯端末９ａからサーバ６に許可階リスト取得要求が送信される。サーバ６が携帯端末９ａから許可階リスト取得要求を受信すると、Ｓ５０１でＹｅｓと判定される。許可階リスト取得要求には、トークンが含まれる。通信制御部６２は、Ｓ５０１でＹｅｓと判定されると、受信した許可階リスト取得要求をセキュリティ管理装置４に送信する（Ｓ５０２）。
【００５４】
図１４は、セキュリティ管理装置４の他の動作例を示すフローチャートである。セキュリティ管理装置４では、許可階リスト取得要求をサーバ６から受信したか否かが判定される（Ｓ６０１）。通信制御部６２がＳ５０２で送信した許可階リスト取得要求をセキュリティ管理装置４が受信すると、Ｓ６０１でＹｅｓと判定される。Ｓ６０１でＹｅｓと判定されると、リスト取得部４８は、受信した許可階リスト取得要求に基づいて当該識別情報に対する許可階リストを取得する（Ｓ６０２）。
【００５５】
例えば、通行許可者Ｐ１が携帯端末９ａで行先変更ボタン９１ａを押すと、セキュリティ管理装置４は、識別情報「１１００１」を含む許可階リスト取得要求を受信する。上述したように、記憶装置５に、識別情報「１１００１」に紐付けて許可階「１階、２階、３階、７階、８階、及び９階」の情報が記憶されている。かかる場合、リスト取得部４８は、１階、２階、３階、７階、８階、及び９階の情報を含むリストを許可階リストとして取得する。リスト取得部４８は、許可階リストを取得すると、取得した許可階リストをサーバ６に送信する（Ｓ６０３）。
【００５６】
サーバ６では、通信制御部６２がＳ５０２で許可階リスト取得要求を送信すると、その応答として許可階リストをセキュリティ管理装置４から受信したか否かが判定される（Ｓ５０３）。リスト取得部４８がＳ６０３で送信した行先階リストをサーバ６が受信すると、Ｓ５０３でＹｅｓと判定される。Ｓ５０３でＹｅｓと判定されると、表示制御部６１は、複数の許可階の中から１つを選択するための選択画面を携帯端末９の表示装置９０に表示させる（Ｓ５０４）。
【００５７】
図１５は、表示装置９０に選択画面が表示された携帯端末９の例を示す図である。図１５は、許可階を示す数字が上下にスクロール表示される例を示す。例えば、携帯端末９ａの選択画面には、９階を示す「９」、８階を示す「８」、７階を示す「７」、３階を示す「３」、２階を示す「２」、及び１階を示す「１」が表示される。通行許可者Ｐ１は、表示された数字をタップすることにより、許可階の１つを選択することができる。以下の説明では、選択画面から選択された許可階のことを、許可階Ｎとも表記する。選択画面に表示された許可階の１つが選択されると、行先変更要求が携帯端末９からサーバ６に送信される。行先変更要求には、トークンと許可階Ｎの情報とが含まれる。
【００５８】
サーバ６では、表示制御部６１が携帯端末９に選択画面を表示させると、その携帯端末９から行先変更要求を受信したか否かが判定される（Ｓ５０５）。サーバ６が行先変更要求を携帯端末９から受信すると、Ｓ５０５でＹｅｓと判定される。通信制御部６２は、Ｓ５０５でＹｅｓと判定されると、受信した行先変更要求をセキュリティ管理装置４に送信する（Ｓ５０６）。
【００５９】
セキュリティ管理装置４では、リスト取得部４８がＳ６０３で許可階リストを送信すると、その応答として行先変更要求をサーバ６から受信したか否かが判定される（Ｓ６０４）。通信制御部６２がＳ５０６で送信した行先変更要求をセキュリティ管理装置４が受信すると、Ｓ６０４でＹｅｓと判定される。Ｓ６０４でＹｅｓと判定されると、受信した行先変更要求が保持部４２によって保持される（Ｓ６０５）。例えば、通行許可者Ｐ１が選択画面で数字の７をタップすると、Ｓ６０５において、識別情報「１１００１」を含むトークンと許可階の１つである７階を示す情報とを含む行先変更要求が保持部４２に保持される。
【００６０】
その後、通行許可者Ｐ１は、図９に示すように、ゲート３の読取装置３０にカード３２ａをかざす。読取装置３０が読み取った情報をセキュリティ管理装置４がゲート３から受信すると（Ｓ１０１のＹｅｓ）、判定部４０は、読取装置３０が読み取った情報が記憶装置５に記憶されている識別情報の何れかと一致するか否かを判定する（Ｓ１０２）。Ｓ１０２でＹｅｓと判定されると、ゲート３の通行が許可される（Ｓ１０３）。
【００６１】
また、Ｓ１０２でＹｅｓと判定されると、判定部４１は、行先変更要求が保持部４２に保持されているか否かを判定する（Ｓ１０４）。通行許可者Ｐ１がカード３２ａを読取装置３０にかざす前にＳ６０５の処理が行われていれば、Ｓ１０４でＹｅｓと判定される。判定部４１は、Ｓ１０４でＹｅｓと判定すると、保持部４２に保持されている行先変更要求に基づいて許可階の１つを行先階に決定する（Ｓ１０６）。即ち、判定部４１は、許可階Ｎを行先階に決定する。上記例であれば、判定部４１は、Ｓ１０６において、識別情報「１１００１」に対する行先階を７階と決定する。
【００６２】
要求部４３は、判定部４１が決定した行先階に対する呼び登録を群管理装置１に要求する（Ｓ１０７）。要求部４３は、Ｓ１０４で判定部４１がＹｅｓと判定すると、許可階Ｎに対する呼び登録を群管理装置１に要求する。この要求には、例えば、識別情報「１１００１」と乗車階「１階」の情報と行先階「７階」の情報とが含まれる。
【００６３】
その後にセキュリティ管理装置４が群管理装置１から割当かごの情報を受信すると（Ｓ１０８のＹｅｓ）、表示制御部４４は、受信した割当かごの情報を表示装置３１に表示させる（Ｓ１０９）。通行許可者Ｐ１は、ゲート３を通過する際に表示装置３１を見ることにより、自分が乗るべきかご２０を知ることができる。例えば、表示装置３１に、エレベーターＤを示す「Ｄ」が表示される。通行許可者Ｐ１は、ゲート３を通過した後に乗場に移動し、上方に「Ｄ」が表示されたドアからかご２０Ｄに乗る。
【００６４】
なお、保持部４２に保持されている行先変更要求は、例えば、当該行先変更要求に基づく呼び登録の要求が群管理装置１に送信されると、保持部４２から削除される。保持部４２に保持されている行先変更要求は、一定時間が経過した後に保持部４２から削除されても良い。
【００６５】
本実施の形態に示す例であれば、通行許可者は、ゲート３の読取装置３０にカード３２をかざすことによって、予め登録された通常利用階に対する呼びを登録することができる。また、通行許可者は、ゲート３を通過する前に選択画面から許可階の１つを選択することにより、行先階を変更できる。なお、この選択された許可階に対する呼び登録の要求は、通行許可者がカード３２を読取装置３０にかざすまで群管理装置１に送信されない。このため、ゲート３の通行が許可されていない人に対して、呼びの登録は行われない。また、通行許可者であってもカード３２の識別情報を読取装置３０に読み取らせていない人に対して、呼びの登録は行われない。このため、セキュリティ管理が行われているビル等において、セキュリティ性及び利便性が損なわれることはない。
【００６６】
また、本システムは、既存のシステムを利用しながら構築できる。例えば、ゲート３及び乗場の外観を変更することなく、本システムを既存のシステムに適用できる。
【００６７】
以下に、本システムが採用可能な他の機能について説明する。本システムは、後述する複数の機能を組み合わせて採用しても良い。先ず、図１６から図１８も参照し、通行許可者Ｐ１がゲート３を通過した後に割当かごを確認する例について説明する。図１６は、通行許可者Ｐ１の出社時の行動の他の例を説明するための図である。通行許可者Ｐ１は、制限エリアに入る前に携帯端末９を操作して行先階を変更しても良い。
【００６８】
図１７は、サーバ６の他の動作例を示すフローチャートである。図１７は、表示制御部６１がＳ３０９で携帯端末９にメニュー画面を表示させた後の動作を示す。サーバ６では、表示制御部６１が携帯端末９にメニュー画面を表示させると、その携帯端末９から状態確認要求を受信したか否かが判定される（Ｓ７０１）。
【００６９】
例えば、通行許可者Ｐ１は、制限エリアに入った後に、携帯端末９ａのメニュー画面に表示された状態確認ボタン９１ｂを押す。これにより、携帯端末９ａからサーバ６に状態確認要求が送信される。サーバ６が携帯端末９ａから状態確認要求を受信すると、Ｓ７０１でＹｅｓと判定される。状態確認要求にはトークンが含まれる。
【００７０】
Ｓ７０１でＹｅｓと判定されると、特定部６３は、受信した状態確認要求に基づいて当該識別情報に対する割当かごを特定する（Ｓ７０２）。上述したように、セキュリティ管理装置４は、Ｓ１０８で群管理装置１から割当かごの情報を受信する。例えば、特定部６３は、携帯端末９から状態確認要求を受信すると、セキュリティ管理装置４から当該識別情報に対する割当かごの情報を取得する。即ち、セキュリティ管理装置４は、特定部６３からの問い合わせに応じて割当かごの情報をサーバ６に提供する。セキュリティ管理装置４は、群管理装置１から割当かごの情報を受信する度にサーバ６にその情報を転送しても良い。かかる場合、サーバ６は、受信した割当かごの情報を一時的に保持しておく。
【００７１】
また、Ｓ７０１でＹｅｓと判定されると、特定部６４は、受信した状態確認要求に基づいて当該識別情報に対する割当かごの状態を特定する（Ｓ７０３）。特定部６４は、割当かごの位置、走行方向、及びドアの開閉状態等の情報をＳ７０３で特定する。例えば、特定部６４は、携帯端末９から状態確認要求を受信すると、群管理装置１から割当かごの状態を示す情報を取得する。即ち、群管理装置１は、特定部６４からの問い合わせに応じて、対応するかご２０の状態を示す情報をサーバ６に提供する。群管理装置１は、各かご２０の状態を示す情報を定期的にサーバ６に送信しても良い。かかる場合、サーバ６は、受信した情報を一時的に保持しておく。
【００７２】
表示制御部６１は、Ｓ７０１で状態確認要求を送信してきた携帯端末９の表示装置９０に、状態確認画面を表示させる（Ｓ７０４）。図１８は、表示装置９０に状態確認画面が表示された携帯端末９の例を示す図である。状態確認画面には、例えば、特定部６３が特定した割当かごの情報と特定部６４が特定した割当かごの状態を表す情報とが含まれる。図１６から図１８に示す例であれば、通行許可者Ｐ１は、ゲート３を通過した後にどのかご２０に乗るのか忘れてしまった場合でも、携帯端末９ａから割当かごを再確認することができる。なお、本実施の形態に示す例では、メニュー画面が、割当かごの状態確認を要求するための確認要求画面としても機能する。
【００７３】
図１６等に示すように、割当かごが乗場に到着する際に、携帯端末９から到着案内が行われても良い。
【００７４】
次に、図１９から図２３も参照し、通行許可者Ｐ１が携帯端末９ａから乗車階と行先階とを指定する例について説明する。図１９は、メニュー画面の他の例を示す図である。図１９に示す例では、行先変更ボタン９１ａ、状態確認ボタン９１ｂ、及び経路指定ボタン９１ｃが表示装置９０に表示される。行先変更ボタン９１ａ、状態確認ボタン９１ｂ、及び経路指定ボタン９１ｃは、入力装置９１の例である。
【００７５】
図２０は、サーバ６の他の動作例を示すフローチャートである。図２０は、表示制御部６１がＳ３０９で携帯端末９にメニュー画面を表示させた後の動作を示す。サーバ６では、表示制御部６１が携帯端末９にメニュー画面を表示させると、その携帯端末９から経路指定要求を受信したか否かが判定される（Ｓ８０１）。
【００７６】
図２１は、通行許可者Ｐ１の出社後の行動の例を説明するための図である。例えば、通行許可者Ｐ１は、制限エリアに入った後に、携帯端末９ａのメニュー画面に表示された経路指定ボタン９１ｃを押す。例えば、通行許可者Ｐ１は、自分のオフィスがある８階で経路指定ボタン９１ｃを押す。これにより、携帯端末９ａからサーバ６に経路指定要求が送信される。経路指定要求には、トークンが含まれる。サーバ６が携帯端末９ａから経路指定要求を受信すると、Ｓ８０１でＹｅｓと判定される。通信制御部６２は、Ｓ８０１でＹｅｓと判定されると、受信した経路指定要求をセキュリティ管理装置４に送信する（Ｓ８０２）。
【００７７】
図２２は、セキュリティ管理装置４の他の動作例を示すフローチャートである。セキュリティ管理装置４では、経路指定要求をサーバ６から受信したか否かが判定される（Ｓ９０１）。通信制御部６２がＳ８０２で送信した経路指定要求をセキュリティ管理装置４が受信すると、Ｓ９０１でＹｅｓと判定される。Ｓ９０１でＹｅｓと判定されると、判定部４９は、当該識別情報が付与された個人の現在のセキュリティレベルを判定する（Ｓ９０２）。例えば、判定部４９は、通行許可者Ｐ１の現在のセキュリティレベルを判定する。
【００７８】
図１９から図２３に示す例では、通行許可者が制限エリアに出入りする際に必ずゲート３を通過するように１台或いは複数台のゲート３が設置される。即ち、通行許可者は、ゲート３を通過しなければ制限エリアに入ることはできない。通行許可者は、ゲート３を通過しなければ制限エリアから出ることはできない。判定部４９は、各読取装置３０が読み取った情報に基づいて、通行許可者が制限エリアにいるか否かを判定する。例えば、判定部４９は、Ｓ９０１で識別情報「１１００１」を含む経路指定要求をセキュリティ管理装置４が受信すると、通行許可者Ｐ１が制限エリアにいるか否かを判定する。
【００７９】
判定部４９は、通行許可者が制限エリアにいなければ、その通行許可者のセキュリティレベルがレベル１であると判定する。判定部４９は、通行許可者のセキュリティレベルがレベル１であると判定すると、レベル１情報をサーバ６に送信する（Ｓ９０３）。
【００８０】
判定部４９は、通行許可者が制限エリアにいれば、その通行許可者のセキュリティレベルがレベル２であると判定する。通行許可者のセキュリティレベルがレベル２であると判定部４９によって判定されると、リスト取得部４８は、受信した経路指定要求に基づいて当該識別情報に対する許可階リストを取得する（Ｓ９０４）。
【００８１】
例えば、通行許可者Ｐ１が携帯端末９ａで経路指定ボタン９１ｃを押すと、セキュリティ管理装置４は、識別情報「１１００１」を含む経路指定要求を受信する。かかる場合、リスト取得部４８は、１階、２階、３階、７階、８階、及び９階の情報を含むリストを許可階リストとして取得する。リスト取得部４８は、許可階リストを取得すると、取得した許可階リストをサーバ６に送信する（Ｓ９０５）。
【００８２】
サーバ６では、通信制御部６２がＳ８０２で経路指定要求を送信すると、当該通行許可者のセキュリティレベルを判定する（Ｓ８０３）。上述したように、当該通行許可者のセキュリティレベルがレベル１であると判定部４９によって判定されると、セキュリティ管理装置４からサーバ６にレベル１情報が送信される。表示制御部６１は、Ｓ８０２の後にサーバ６がレベル１情報を受信すると、例えばエラー画面を携帯端末９の表示装置９０に表示させる（Ｓ８０４）。
【００８３】
一方、当該通行許可者のセキュリティレベルがレベル２であると判定部４９によって判定されると、セキュリティ管理装置４からサーバ６に許可階リストが送信される。表示制御部６１は、Ｓ８０２の後にサーバ６が許可階リストを受信すると、経路指定画面を携帯端末９の表示装置９０に表示させる（Ｓ８０５）。経路指定画面は、許可階リストに含まれる複数の許可階の１つから他の１つに移動する経路を指定するための画面である。
【００８４】
図２３は、表示装置９０に経路指定画面が表示された携帯端末９の例を示す図である。図２３は、乗車階を示す「Ｆｒｏｍ」の欄及び行先階を示す「Ｔｏ」の欄に許可階を示す数字が上下にスクロール表示される例を示す。例えば、通行許可者Ｐ１は、「Ｆｒｏｍ」の欄に表示された数字を矢印に合わせて配置することにより、許可階の１つを乗車階として選択することができる。通行許可者Ｐ１は、「Ｔｏ」の欄に表示された数字を矢印に合わせて配置することにより、許可階の他の１つを行先階として選択することができる。
【００８５】
例えば、通行許可者Ｐ１は、矢印の左側に数字の８を配置し、矢印の右側に数字の７を配置した後にＯＫボタンを押す。これにより、経路変更要求が携帯端末９ａからサーバ６に送信される。経路変更要求には、トークンと経路指定画面から指定された経路の情報とが含まれる。上記経路の情報には、乗車階として選択された許可階の情報と行先階として選択された許可階の情報とが含まれる。
【００８６】
サーバ６では、表示制御部６１が携帯端末９に経路指定画面を表示させると、その携帯端末９から経路変更要求を受信したか否かが判定される（Ｓ８０６）。サーバ６が経路変更要求を携帯端末９から受信すると、Ｓ８０６でＹｅｓと判定される。要求部６５は、Ｓ８０６でＹｅｓと判定されると、経路指定画面から指定された経路に対する呼び登録を群管理装置１に要求する（Ｓ８０７）。この要求には、例えば、識別情報「１１００１」と乗車階「８階」の情報と行先階「７階」の情報とが含まれる。
【００８７】
群管理装置１では、サーバ６から呼び登録の要求を受信すると、Ｓ２０２からＳ２０４に示す処理が行われる。情報提供部１２は、割当部１０が呼び登録要求に対する割当かごを決定すると、呼び登録の要求元に割当かごの情報を送信する（Ｓ２０４）。例えば、情報提供部１２は、識別情報「１１００１」に対する割当かごがかご２０Ｂである旨の情報をサーバ６に送信する。
【００８８】
サーバ６では、要求部６５がＳ８０７で呼び登録の要求を行うと、その応答として割当かごの情報を群管理装置１から受信したか否かが判定される（Ｓ８０８）。情報提供部１２がＳ２０４で送信した割当かごの情報をサーバ６が受信すると、Ｓ８０８でＹｅｓと判定される。Ｓ８０８でＹｅｓと判定されると、表示制御部６１は、受信した割当かごの情報を、Ｓ８０６で経路変更要求を送信してきた携帯端末９の表示装置９０に表示させる（Ｓ８０９）。通行許可者Ｐ１は、経路指定画面で経路を指定した後、携帯端末９ａの表示装置９０を見ることにより、自分が乗るべきかご２０を知ることができる。例えば、表示装置９０に、エレベーターＢを示す「Ｂ」が表示される。通行許可者Ｐ１は、８階の乗場に移動し、上方に「Ｂ」が表示されたドアからかご２０Ｂに乗る。
【００８９】
次に、図２４及び図２５も参照し、通行許可者Ｐ１が携帯端末９ａから乗車階と行先階とを指定する他の例について説明する。図１９から図２３に示す例では、通行許可者Ｐ１は制限エリア内であればどこにいても経路を指定できる。例えば、８階の乗場から遠い場所にいても、８階から７階に移動する経路を携帯端末９ａから指定できる。このような状況を考慮し、図２４及び図２５では、タイマー機能を用いて呼び登録の要求を行うことができる例について説明する。
【００９０】
図２４は、通行許可者Ｐ１の出社後の行動の他の例を説明するための図である。サーバ６の動作は、図２０に示す動作と基本的に同様である。例えば、サーバ６は、Ｓ８０１からＳ８０４に示す処理と同じ処理を行う。一方、Ｓ８０２の後にサーバ６が許可階リストを受信すると、表示制御部６１は、Ｓ８０５において、経路指定画面とタイマー設定画面とを携帯端末９の表示装置９０に表示させる。
【００９１】
例えば、表示制御部６１は、先ず、携帯端末９に図２３に示す経路指定画面を表示させる。そして、経路指定画面に表示されたＯＫボタンが押されると、表示制御部６１は、携帯端末９にタイマー設定画面を表示させる。
【００９２】
図２５は、表示装置９０にタイマー設定画面が表示された携帯端末９の例を示す図である。図２５は、秒数を示す数字が上下にスクロール表示される例を示す。通行許可者Ｐ１は、「Ｔｉｍｅｒ」の表記のとなりに希望の数字を配置した後にＯＫボタンを押すことにより、呼び登録が行われるまでの時間を設定できる。タイマー設定画面のＯＫボタンが押されることにより、経路変更要求が携帯端末９ａからサーバ６に送信される。経路変更要求には、トークンと経路指定画面から指定された経路の情報とタイマー設定画面から設定された時間の情報とが含まれる。
【００９３】
サーバ６では、表示制御部６１が携帯端末９に経路指定画面とタイマー設定画面とを表示させると、その携帯端末９から経路変更要求を受信したか否かが判定される（Ｓ８０６）。サーバ６が経路変更要求を携帯端末９から受信すると、Ｓ８０６でＹｅｓと判定される。要求部６５は、Ｓ８０６でＹｅｓと判定されると、タイマー設定画面から設定された時間が経過した後に、経路指定画面から指定された経路に対する呼び登録を群管理装置１に要求する（Ｓ８０７）。
【００９４】
サーバ６では、要求部６５がＳ８０７で呼び登録の要求を行うと、その応答として割当かごの情報を群管理装置１から受信したか否かが判定される（Ｓ８０８）。Ｓ８０８でＹｅｓと判定されると、表示制御部６１は、受信した割当かごの情報を、Ｓ８０６で経路変更要求を送信してきた携帯端末９の表示装置９０に表示させる（Ｓ８０９）。携帯端末９では、割当かごの情報が表示装置９０に表示される際に、音或いは振動による報知が行われても良い。
【００９５】
例えば、通行許可者Ｐ１は、タイマー設定画面に表示されたＯＫボタンを押した後、乗場への移動を開始する。この時、タイマー設定画面から設定された時間が経過しなければ、呼び登録の要求は行われない。通行許可者Ｐ１は、呼び登録の要求が開始されるまでの間に乗場に接近することができる。通行許可者Ｐ１は、タイマー設定画面において、乗場までの距離に応じた時間を設定すれば良い。
【００９６】
次に、図２６から図２８も参照し、呼び登録を他の方法で行う例について説明する。図２６は、呼び登録システムの他の例を示す図である。図２６に示す例は、セキュリティ管理装置４が入退室管理を行う点で図１に示す例と相違する。図２６に示す例では、呼び登録システムは、電子錠制御装置３３を更に備える。
【００９７】
電子錠制御装置３３は、部屋に入るためのドア３４の施錠及び解錠を行う。電子錠制御装置３３は、制限エリアに設けられる。電子錠制御装置３３は、制限エリア内の特定のエリアを更に区画するために使用される。電子錠制御装置３３は、例えば読取装置３５及び表示装置３６を備える。読取装置３５は、社員証等の記憶媒体から識別情報を読み取る。例えば、読取装置３５は、カード３２から識別情報を読み取る。
【００９８】
セキュリティ管理装置４は、電子錠制御装置３３を制御する。例えば、セキュリティ管理装置４は、記憶装置５に記憶された情報に基づいて複数の電子錠制御装置３３を制御する。
【００９９】
図２７は、通行許可者Ｐ１の出社後の行動の他の例を説明するための図である。例えば、通行許可者Ｐ１は、自分のオフィスにおいて、携帯端末９ａのメニュー画面に表示された行先変更ボタン９１ａを押す。サーバ６では、図１３に示す動作が行われる。また、セキュリティ管理装置４では、図１４に示す動作が行われる。これにより、Ｓ６０５において、識別情報「１１００１」を含むトークンと許可階Ｎを示す情報とを含む行先変更要求が保持部４２に保持される。その後、通行許可者Ｐ１は、図２７に示すように、電子錠制御装置３３の読取装置３５にカード３２ａをかざす。
【０１００】
図２８は、セキュリティ管理装置４の他の動作例を示すフローチャートである。セキュリティ管理装置４では、電子錠制御装置３３から識別情報を受信したか否かが判定される（Ｓ１２１）。通行許可者Ｐ１がカード３２ａを読取装置３５にかざすと、読取装置３５は、カード３２ａから識別情報「１１００１」を読み取る。読取装置３５が読み取った情報は、セキュリティ管理装置４に送信される。読取装置３５が読み取った情報をセキュリティ管理装置４が電子錠制御装置３３から受信すると、Ｓ１２１でＹｅｓと判定される。
【０１０１】
判定部４０は、読取装置３５が読み取った情報が記憶装置５に記憶されている識別情報のうち読取装置３５に紐付けられている識別情報の何れかと一致するか否かを判定する（Ｓ１２２）。Ｓ１２２でＮｏと判定されると、ドア３４の通行は許可されない（Ｓ１２９）。例えば、動作制御部４５は、ドア３４を解錠しない。表示制御部４４は、表示装置３６に、通行が許可されていない旨を表示させる。
【０１０２】
Ｓ１２２でＹｅｓと判定されると、ドア３４の通行が許可される（Ｓ１２３）。例えば、動作制御部４５は、ドア３４を解錠する。
【０１０３】
また、読取装置３５が読み取った情報が記憶装置５に記憶されている識別情報と一致すると判定部４０が判定すると（Ｓ１２２のＹｅｓ）、判定部４１は、必要に応じて、当該通行許可者の行先階を決定する。具体的に、判定部４１は、行先変更要求が保持部４２に保持されているか否かを判定する（Ｓ１２４）。Ｓ１２４でＮｏと判定されると、処理は終了する。Ｓ１２４でＮｏと判定されると、呼び登録の要求は行われない。
【０１０４】
一方、判定部４１は、Ｓ１２４でＹｅｓと判定すると、保持部４２に保持されている行先変更要求に基づいて許可階の１つを行先階に決定する（Ｓ１２５）。即ち、判定部４１は、許可階Ｎを行先階に決定する。
【０１０５】
要求部４３は、判定部４１が決定した行先階に対する呼び登録を群管理装置１に要求する（Ｓ１２６）。即ち、要求部４３は、Ｓ１２４で判定部４１がＹｅｓと判定すると、許可階Ｎに対する呼び登録を群管理装置１に要求する。この要求には、例えば、識別情報と乗車階の情報と行先階の情報とが含まれる。乗車階は、例えば電子錠制御装置３３が設置されている階である。なお、群管理装置１では、要求部４３がＳ１２６で送信した要求を受信すると、図７に示す動作が行われる。
【０１０６】
その後にセキュリティ管理装置４が群管理装置１から割当かごの情報を受信すると（Ｓ１２７のＹｅｓ）、表示制御部４４は、受信した割当かごの情報を表示装置３６に表示させる（Ｓ１２８）。通行許可者Ｐ１は、表示装置３６を見ることにより、自分が乗るべきかご２０を知ることができる。図２６から図２８に示す例においても、通行許可者Ｐ１がドア３４を通過した後に携帯端末９ａから割当かごを確認することができる。また、割当かごが乗場に到着する際に、携帯端末９から到着案内が行われても良い。
【０１０７】
本実施の形態において、符号４０〜４９に示す各部は、セキュリティ管理装置４が有する機能を示す。図２９は、セキュリティ管理装置４のハードウェア資源の例を示す図である。セキュリティ管理装置４は、ハードウェア資源として、例えばプロセッサ１０１とメモリ１０２とを含む処理回路１００を備える。セキュリティ管理装置４は、メモリ１０２に記憶されたプログラムをプロセッサ１０１によって実行することにより、符号４０〜４９に示す各部の機能を実現する。
【０１０８】
プロセッサ１０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１０２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【０１０９】
図３０は、セキュリティ管理装置４のハードウェア資源の他の例を示す図である。図３０に示す例では、セキュリティ管理装置４は、例えばプロセッサ１０１、メモリ１０２、及び専用ハードウェア１０３を含む処理回路１００を備える。図３０は、セキュリティ管理装置４が有する機能の一部を専用ハードウェア１０３によって実現する例を示す。セキュリティ管理装置４が有する機能の全部を専用ハードウェア１０３によって実現しても良い。専用ハードウェア１０３として、単一回路、複合回路、プログラム化したプロセッサ、並列プログラム化したプロセッサ、ＡＳＩＣ、ＦＰＧＡ、又はこれらの組み合わせを採用できる。
【０１１０】
同様に、符号１０〜１２に示す各部は、群管理装置１が有する機能を示す。群管理装置１のハードウェア資源は、図２９に示す例と同様である。群管理装置１は、ハードウェア資源として、例えばプロセッサとメモリとを含む処理回路を備える。群管理装置１は、メモリに記憶されたプログラムをプロセッサによって実行することにより、符号１０〜１２に示す各部の機能を実現する。群管理装置１は、ハードウェア資源として、プロセッサ、メモリ、及び専用ハードウェアを含む処理回路を備えても良い。また、群管理装置１が有する機能の全部を専用ハードウェアによって実現しても良い。
【０１１１】
同様に、符号６０〜６５に示す各部は、サーバ６が有する機能を示す。サーバ６のハードウェア資源は、図２９に示す例と同様である。サーバ６は、ハードウェア資源として、例えばプロセッサとメモリとを含む処理回路を備える。サーバ６は、メモリに記憶されたプログラムをプロセッサによって実行することにより、符号６０〜６５に示す各部の機能を実現する。サーバ６は、ハードウェア資源として、プロセッサ、メモリ、及び専用ハードウェアを含む処理回路を備えても良い。また、サーバ６が有する機能の全部を専用ハードウェアによって実現しても良い。
【産業上の利用可能性】
【０１１２】
この発明は、制限エリアのセキュリティ管理を行うシステムに適用できる。
【符号の説明】
【０１１３】
１  群管理装置、  ３  ゲート、  ４  セキュリティ管理装置、  ５  記憶装置、  ６  サーバ、  ７  変換装置、  ８  ネットワーク、  ９  携帯端末、  １０  割当部、  １１  運行管理部、  １２  情報提供部、  ２０  かご、  ２１  制御装置、  ２２  昇降路、  ３０  読取装置、  ３１  表示装置、  ３２  カード、  ３３  電子錠制御装置、  ３４  ドア、  ３５  読取装置、  ３６  表示装置、  ４０  判定部、  ４１  判定部、  ４２  保持部、  ４３  要求部、  ４４  表示制御部、  ４５  動作制御部、  ４６  判定部、  ４７  付与部、  ４８  リスト取得部、  ４９  判定部、  ６０  判定部、  ６１  表示制御部、  ６２  通信制御部、  ６３  特定部、  ６４  特定部、  ６５  要求部、  ９０  表示装置、  ９１  入力装置、  １００  処理回路、  １０１  プロセッサ、  １０２  メモリ、  １０３  専用ハードウェア
【図１】
2019207715.tif 000004
【図２】
2019207715.tif 000005
【図３】
2019207715.tif 000006
【図４】
2019207715.tif 000007
【図５】
2019207715.tif 000008
【図６】
2019207715.tif 000009
【図７】
2019207715.tif 000010
【図８】
2019207715.tif 000011
【図９】
2019207715.tif 000012
【図１０】
2019207715.tif 000013
【図１１】
2019207715.tif 000014
【図１２】
2019207715.tif 000015
【図１３】
2019207715.tif 000016
【図１４】
2019207715.tif 000017
【図１５】
2019207715.tif 000018
【図１６】
2019207715.tif 000019
【図１７】
2019207715.tif 000020
【図１８】
2019207715.tif 000021
【図１９】
2019207715.tif 000022
【図２０】
2019207715.tif 000023
【図２１】
2019207715.tif 000024
【図２２】
2019207715.tif 000025
【図２３】
2019207715.tif 000026
【図２４】
2019207715.tif 000027
【図２５】
2019207715.tif 000028
【図２６】
2019207715.tif 000029
【図２７】
2019207715.tif 000030
【図２８】
2019207715.tif 000031
【図２９】
2019207715.tif 000032
【図３０】
2019207715.tif 000033
【国際調査報告】
2019207715.tif 000034
2019207715.tif 000035
2019207715.tif 000036
2019207715.tif 000037